(57)【要約】【課題】ランドセル及び被せ蓋式鞄において、構造上想定された通常の収納量を超えた学習用具などを収納しなければならないときや、収納口からはみ出すような大きな形状のノートやファイルなどを収納しなければならないときでも、容易に蓋を閉じて確実にロックできるように係止部を延伸させて、受止部に確実に届くようにすることができるランドセル及び被せ蓋式鞄の提供を課題とする。【解決手段】被せ蓋の先端部に、ストッパー金具とスライドベルトとの組合せによるアジャスター機構を設けることにより、ストッパー金具の解放・固定の簡単な操作だけで係止部を自在に延伸させて受止部に届くようにし、被せ蓋を容易かつ確実に係合ロックできるようにしたランドセル及び被せ蓋式鞄を発明した。【選択図】図１
2004357766.tif 000002
【特許請求の範囲】
【請求項１】
ランドセル及び被せ蓋式鞄において、構造上想定された収納量や大きさを超えた学用品や用具などを収納せざるを得ない状況が生じ、被せ蓋の先端に設けられた係止部が、受止部に届かないために係合不能となった場合でも、スライドベルトとストッパー金具の組合せによるアジャスター機構を設け、スライドベルトを延伸させることによって係止部を適切な長さに調節して受止部に届くようにし、被せ蓋を容易かつ確実に係合することができるように構成したことを特徴とするランドセル及び被せ蓋式鞄。
【発明の詳細な説明】
【０００１】
【発明の属する技術分野】
本発明は、ランドセル及び被せ蓋式鞄において、構造上想定された収納量や大きさの物をある程度超えて収納した場合でも、被せ蓋を確実に閉じて係合できるよう、係止部を自在に延伸できるようにするためのアジャスター機構を設けたランドセル及び被せ蓋式鞄に関する。
【０００２】
【従来の技術】
本発明の目的である、構造上想定された収納量や大きさを超えた学習用具などを収納する場合の係合方法について、従来市場に提供されている代表的なランドセルを例にとって、図２をもとに説明する。ベロ部０５の先端に設けられた係止部には金属板からなる係止片０６が固設されている。該係止片０６には横長の嵌合孔０７が二つ上下に設けてあり、ランドセル本体の底部０１の受止部０２に設けられた係止摘子０３に、該嵌合孔０７のいずれかを嵌合させることにより収納量に応じて二段階の調節ができるようになっている。
【０００３】
【発明が解決しようとする課題】
上記（０００２）のような構造は、児童が容易にランドセルの被せ蓋を係合することを可能にし、またランドセル本体への学習用具などの収納量の多少に応じて二段階に調節できるという点で優れた構造となっている。店頭に並んでいるランドセルのほとんどがこの係合構造を採用していることはその証左である。しかしながら、近年、小学校における学習内容は大きく変化しており、使用する教材や学習用具も多様化・大型化し、使用する物量も豊富になってきている。学校現場では、学習用具をランドセルに収納し切れなくなり、ランドセルをギューギュー押し付けて、ようやく蓋を閉めたりする児童の姿や、そのために大切な用具や教材が折れたり曲がったりしている様子が頻繁に見受けられる。あるいは、係止片０６が受止部０２に届かず係合不能となり、蓋をロックしないまま背負っている児童の姿を見かけることもある。すなわち、二段階式の延伸調節では対応し切れないのである。
【０００４】
本発明は、こうした課題を解決すべく、ランドセルの被せ蓋先端部に設けられた係止部を、従来の二段階よりもさらに大きく延伸調節範囲を広げ、構造上想定された収納量や大きさを超えた用具を収納しなければならない場合にも、係止部を適切な長さに延伸させて、被せ蓋を確実に係合ロックできる機構を設けたランドセルを提供することを目的とする。さらに同様の手段によって、幼稚園や中学校の通学鞄など被せ蓋式の構造をとっている鞄においても同様の機能を提供することを目的とする。
【０００５】
【課題を解決するための手段】
ベロ部０５または被せ蓋０４の先端部にスライドベルトとストッパー金具の組合せによるアジャスター機構を設け、スライドベルトを延伸させることによって係止部を適切な長さに調節して、被せ蓋を容易にかつ確実に係合することができるように構成した。（図１は本発明をランドセルに実施した例の、スライドベルトを延伸させた際の全体斜視図である。）
【０００６】
【作用】
スライドベルト０８を延伸させるときは、図５に示すようにストッパー金具１０の爪１０ａを起こしてスライドベルト０８の固定を解放し、係止片０６をつまんで該スライドベルト０８を引き出して延伸させ、適度な長さのところでストッパー金具１０の爪１０ａを倒してスライドベルトを固定させれば良い。
【０００７】
【実施例】
以下、本発明に係る一実施例について、ランドセルを例にとって図面と共に説明する。図３は、ランドセルの被せ蓋０４の先端部に延設されたベロ部０５の裏側の斜視図である。該ベロ部０５は革による二枚合わせの構造となっており、表革と裏革の間にスライドベルト０８を内装し、ベロ部０５の先端に固設したストッパー金具１０によって、スライドベルト０８が固定できるように構成した。図４はベロ部０５表側の斜視図である。図のようにベロ部０５に内装されるスライドベルト０８は、通常延伸させないときは外観上見えないようになっており、美観を損なわないように構成した。
【０００８】
図５はベロ部０５の裏側斜視図であり、ストッパー金具１０の爪１０ａを起こしてスライドベルト０８を解放し、該スライドベルト０８をほぼ最大に延伸した際の図である。スライドベルト０８は適度な弾力性・柔軟性・強度を備えたプラスティック製で、図５に示すように横長の多数の凸部１１を形成しており、ストッパー金具１０の爪１０ａによりおさえられ、抜き差しならないように固定される。図６は図５と同じくスライドベルト０８をほぼ最大に延伸した際のベロ部０５の表側の斜視図である。スライドベルト０８の表側の面には、革を張り合わせて構成し、美観も良くまた強度も高めるようにした。また、スライドベルト０８の上端部０９は、スライドベルトを最大に延伸させてもストッパー金具１０から脱離しないような形状を施した。なお、該スライドベルト上端部０９については、必ずしも脱離防止の形状を施す必要があるものではない。また、スライドベルト０８の凸部１１の形状は、ストッパーによって確実に固定される機能を有していれば良いのであるから三角柱状や半円筒状に形成しても良い。あるいは、ストッパー金具１０の爪１０ａのスライドベルト０８にかかる圧力によっては、凸部を形成せず平面でも機能を果たすことができる。またスライドベルト０８の材料は適度な弾力性、柔軟性、強度を備えているものであれば、もちろんプラスティックに限るものではない。
【０００９】
スライドベルト０８の厚さと、該スライドベルト０８を押さえるストッパー金具の爪１０ａとの隙間の適合関係については、爪１０ａによるスライドベルト０８の押さえが、ある程度の適度な圧力をかけて行える度合いが望ましい。該圧力の度合いに応じて、固定される係止部の安定度が決定される。
【００１０】
図７はストッパー金具１０の取り付け例である。該ストッパー金具１０をベロ部０５の表革の先端に固設する。この際、革の強度によってはストッパー金具と革の間に芯材を挟んで補強してもよい。ベロ部０５の裏革の先端は、ストッパー金具１０とほぼ同じ形状に切り抜いてストッパー金具１０の爪１０ａの解放・固定の動きを妨げないように構成した。図８はベロ部０５の表革と裏革を張り合わせた形態であり、ストッパー１０の爪１０ａは起こして解放された状態を示している。爪を倒してストッパーを掛けた状態では、裏革の切り抜いた部分はストッパー金具１０とほぼ重なって隠されるので美観を損ねない。なお、図に示したストッパー金具１０の形状や機構及びスライドベルト０８の形状はその一例であって、市場には他の形状や機構を持つものも多数提供されているのでそれらを利用して一向に構わない。
【００１１】
なお、ベロ部は図９のような形状に構成しても良い。また、図１０のように被せ蓋が鞄本体の底辺に達しない短い形状のものや尾錠などその他の係止具を利用したものでも、本発明であるスライドベルト０８とストッパー金具１０の組合せによるアジャスター機構を設けた鞄を構成することが可能である。
【００１２】
【発明の効果】
以上述べたように、本発明のランドセル及び被せ蓋式鞄は、構造上想定された通常の収納量や大きさを超えた学習用具などを収納せざるを得ない状況が生じた場合でも、被せ蓋の先端部にストッパー金具とスライドベルトの組合せによるアジャスター機構を設けることによって係止部を自在に延伸させることが可能となり、ランドセルや鞄がいっぱいに膨れた状態でも、また開口部よりはみ出す大きな形状の物を収納した場合でも、無理なく容易かつ確実に被せ蓋を閉じ、係合ロックすることが可能となる。従って、ランドセルや鞄本体に外圧をかけて押し付け、無理に蓋を閉じようとして大切な学習用具を折ったり曲げたり痛めたり、あるいはあきらめて被せ蓋を係合しないまま背負って収納物を落としてしまったりする心配もなく、安全に運搬することができるようになり、これまでの学童の苦労や悩みを解決することができる。ひいては、外からの無理な力が減じられるので、ランドセルや鞄本体の形状をより永く安定した状態に保てるという利点を有するランドセル及び被せ蓋式鞄を提供することが可能となる。
【図面の簡単な説明】
【図１】本発明を実施したランドセルのスライドベルトを延伸した際の全体斜視図
【図２】従来の代表的なランドセルの斜視図
【図３】ベロ部裏側の斜視図
【図４】ベロ部表側の斜視図
【図５】ストッパーを解放してスライドベルトを延伸した際のベロ部裏側の斜視図
【図６】ストッパーを解放してスライドベルトを延伸した際のベロ部表側の斜視図
【図７】ストッパーの固設例を示す斜視図（ベロ部裏側）
【図８】ストッパーを固設して二枚のベロ革を合わせた斜視図（ベロ部表側）
【図９】他のベロ革形状への実施例を示す斜視図
【図１０】被せ蓋が鞄本体の底辺に達しない形状の鞄への実施例を示す斜視図
【符号の説明】
０１    本体底部
０２    受止部
０３    係止摘子
０４    被せ蓋
０５    ベロ
０６    係止片
０７    嵌合長孔
０８    スライドベルト
０９    スライドベルト先端部（抜け止め）
１０    ストッパー金具
１０ａ  ストッパー金具爪部
１１    凸部
【図１】
2004357766.tif 000003
【図２】
2004357766.tif 000004
【図３】
2004357766.tif 000005
【図４】
2004357766.tif 000006
【図５】
2004357766.tif 000007
【図６】
2004357766.tif 000008
【図７】
2004357766.tif 000009
【図８】
2004357766.tif 000010
【図９】
2004357766.tif 000011
【図１０】
2004357766.tif 000012